(57)【要約】【課題】単純で信頼性の高いカートリッジの位置決め機構を有する情報記録再生装置を提供する。【解決手段】複数の薄型光情報記録媒体を収納するカートリッジを挿入して使用する情報記録再生装置であって、前記カートリッジは、該情報記録再生装置への挿入方向と平行の一対の互いに向かい合う面の各々において、挿入する側においては突き抜け、その反対側においては突き抜けない、該カートリッジの挿入方向と平行で直線状の溝を有し、該情報記録再生装置は、前記カートリッジが挿入される際に前記カートリッジの前記溝の各々にその突き抜けた側から入り突き抜けない側まで嵌合する２個の位置決め部材を備える。【選択図】図１
2008016139.tif 000002
【特許請求の範囲】
【請求項１】
複数の薄型光情報記録媒体を収納するカートリッジを挿入して使用する情報記録再生装置であって、
前記カートリッジは、該情報記録再生装置への挿入方向と平行の一対の互いに向かい合う面の少なくとも一方において、挿入する側においては突き抜け、その反対側においては突き抜けない、該カートリッジの挿入方向と平行で直線状の溝を有し、
該情報記録再生装置は、前記カートリッジが挿入される際に前記カートリッジの前記溝にその突き抜けた側から入り突き抜けない側まで嵌合する位置決め部材を備えることを特徴とする情報記録再生装置。
【請求項２】
前記カートリッジの溝は、該情報記録再生装置への挿入方向と平行の一対の互いに向かい合う面の両側にあることを特徴とする請求項１記載の情報記録再生装置。
【請求項３】
前記位置決め部材のうち一方に他方に向かう方向に与圧を加える与圧発生手段をさらに備えることを特徴とする請求項２に記載の情報記録再生装置。
【請求項４】
前記与圧発生手段は押しばね、板ばね、巻きばね、又は、カム及び引きばねであることを特徴とする請求項３記載の情報記録再生装置。
【請求項５】
前記位置決め部材が前記カートリッジの前記溝の突き抜けていない側に突き当たる位置において前記カートリッジを固定するロック手段をさらに備えることを特徴とする請求項１乃至４のいずれか１項に記載の情報記録再生装置。
【請求項６】
前記溝の幅と前記位置決め部材の幅がほぼ同じであることを特徴とする請求項１乃至５のいずれか１項に記載の情報記録再生装置。
【発明の詳細な説明】
【技術分野】
【０００１】
本発明は、複数の薄型光情報記録媒体を収納するカートリッジを挿入して使用する情報記録再生装置に関する。
【背景技術】
【０００２】
近年、コンピュータ用情報のみならず、音声や静止画像、動画像などの情報を保存するための記録媒体として光情報記録媒体が実用化されている。光情報記録媒体は更なる高密度化や高速転送化に向け開発が進められているが、同時に記録再生を行う情報記録再生装置の将来的な形としての薄型化や小型化、あるいは媒体収納時の軽量小型化等を見据えると、光情報記録媒体自体の厚みはより薄いほうが望ましく、その実現を狙って超薄型光情報記録媒体の開発が進められている。このような超薄型情報記録媒体を複数枚を積層してカートリッジ内部に納め、このカートリッジを情報記録再生装置に挿入して使用する方式が考えられている。
【特許文献１】特開２００５−１７４５１５号公報
【発明の開示】
【発明が解決しようとする課題】
【０００３】
しかし、カートリッジ内部から各ディスクを正確に、かつ、常に同じ位置から取り出して再び戻せるということが必要で、そのためには、情報記録再生装置に挿入されたカートリッジを常に同じ基準位置に位置決めすることが必要となる。
【０００４】
ところが、カートリッジの位置を検出し、位置決めする機構は、複雑なメカやセンサや回路を必要とする。
【０００５】
そこで、本発明の目的は、上記問題を解決し、単純で信頼性の高いカートリッジの位置決め機構を有する情報記録再生装置を提供することにある。
【課題を解決するための手段】
【０００６】
本発明の一実施形態による、複数の薄型光情報記録媒体を収納するカートリッジを挿入して使用する情報記録再生装置において、前記カートリッジは、該情報記録再生装置への挿入方向と平行の一対の互いに向かい合う面の少なくとも一方において、挿入する側においては突き抜け、その反対側においては突き抜けない、該カートリッジの挿入方向と平行で直線状の溝を有し、該情報記録再生装置は、前記カートリッジが挿入される際に前記カートリッジの前記溝にその突き抜けた側から入り突き抜けない側まで嵌合する位置決め部材を備えることを特徴とする。
【０００７】
本発明の他の実施形態による、複数の薄型光情報記録媒体を収納するカートリッジを挿入して使用する情報記録再生装置において、前記カートリッジは、該情報記録再生装置への挿入方向と平行の一対の互いに向かい合う面の各々において、挿入する側においては突き抜け、その反対側においては突き抜けない、該カートリッジの挿入方向と平行で直線状の溝を有し、該情報記録再生装置は、前記カートリッジが挿入される際に前記カートリッジの前記溝の各々にその突き抜けた側から入り突き抜けない側まで嵌合する２個の位置決め部材を備えることを特徴とする。
【０００８】
好適には、前記位置決め部材のうち一方に他方に向かう方向に与圧を加える与圧発生手段をさらに備える。
【０００９】
前記与圧発生手段は押しばね、板ばね、巻きばね、又は、カム及び引きばねであってもよい。
【００１０】
好適には、前記位置決め部材が前記カートリッジの前記溝の突き抜けていない側に突き当たる位置において前記カートリッジを固定するロック手段をさらに備える。
好適には、前記溝の幅と前記位置決め部材の幅とをほぼ同じにする。
【発明の効果】
【００１１】
本発明によれば、単純で信頼性の高いカートリッジの位置決め機構を有する情報記録再生装置を提供することができる。
【発明を実施するための最良の形態】
【００１２】
以下に本発明の実施の形態について図面を参照して詳細に説明する。
図１は、本発明の本発明の情報記録再生装置におけるカートリッジ位置決め機構の構成の一例を示す斜視図である。カートリッジ１は箱状であり、その内部には、超薄型情報記録媒体３が搭載されたトレイ２が多数積層された状態で収容されている。なお、トレイ２は、図１に示すように柔軟性のあるフタがついている場合もあり、超薄型情報記録媒体３を挟んだ収納状態４のようにすることで、カートリッジ１からトレイ２を引き出す場合、超薄型情報記録媒体３がすぐ上のトレイ２と直接擦れて傷つけられたり、超薄型情報記録媒体３が位置ずれを起こしたりすることを回避することができる。カートリッジ１の情報記録再生装置への挿入方向の面は開口を有し、トレイ２及び超薄型情報記録媒体３はこの開口から出し入れされる。
【００１３】
カートリッジ１には、開口のある面に隣接する互いに向かい合う一対の面の各々において、カートリッジ１の情報記録再生装置への挿入方向と平行な直線状の溝５が設けられている。溝５は、カートリッジ１の開口のある面の側には突き抜けされ、その逆側においては突き抜けない。
【００１４】
図２は、本発明による情報記録再生装置とカートリッジを示す斜視図である。情報記録再生装置６には、２個の位置決め部材７及び８が設けられている。位置決め部材７及び８は、この例においては断面形状がＬ字型であり、突き出した部分がカートリッジ１の溝５に嵌合するような形状と位置関係になっている。位置決め部材７及び８は、カートリッジ１を情報記録再生装置に挿入する際、カートリッジ１の溝５に、その突き抜けている側から嵌合する。カートリッジ１をスライドさせていくと、位置決め部材７及び８はカートリッジ１の溝５の突き抜けていない側に突き当たり、それ以上挿入できなくなる。この位置を情報記録再生装置におけるカートリッジ１の動作位置とする。位置決め部材７及び８の溝５に嵌合する部分は、溝５に実質的に隙間なく嵌合することが望ましい。このようにすれば、情報記録再生装置に挿入されたカートリッジ１は、その挿入方向以外の方向において動きを規制され、カートリッジ１からトレイ２を出し入れする機構に対する相対的な位置が固定される。
【００１５】
情報記録再生装置には、カートリッジ１をその基準位置まで挿入させた状態で固定するストッパ機構を設けてもよい。図３ａは、このようなストッパ機構の構成の一例を示す斜視図であり、図３ｂはその拡大図である。本例のストッパ機構９では、カートリッジ１がその基準位置まで挿入された後、ストッパ部品をスライドさせ、カートリッジ１の抜去方向への動きを規制する。
【００１６】
図４は、本発明の情報記録再生装置におけるカートリッジ位置決め機構の構成の他の例を示す正面図である。本実施形態では、一方の位置決め部材７’は、押しばね１０により、他方の位置決め部材８に向かう方向に与圧をかけられるように構成されている。したがって、挿入されたカートリッジ１は、位置決め部材７’及び８によって締め付けられ、位置決め部材７’及び８とカートリッジ１との間のクリアランスは限りなくゼロに近くなり、位置決め精度を上げることができる。本例では押しばね１０によって与圧を与えているが、板ばねや巻きばね、あるいはカムを介して引きばねなどを使用してもよい。
【００１７】
以上説明した本発明の情報記録再生装置は、カートリッジをクリアランスなく正確に位置決めすることができ、その結果として、カートリッジに収納された超薄型情報記録媒体を記録再生時に常に同じ位置から正確に搬送し、また、戻すことができる。非常に簡易でシンプルな構成であるため、機構の信頼性も高く、安価で小型化することも出来る。
【００１８】
また、上記実施形態ではカートリッジの向かい合う面にそれぞれ溝を設け、各々に位置決め部材を嵌合させたが、一方の面のみに溝を設け、この溝に位置決め部材を嵌合させ、他方の面はその垂直方向への動きのみを規制するような構成としても、近い効果を得ることができる。
【産業上の利用可能性】
【００１９】
本発明は、情報記録再生装置に利用可能である。
【図面の簡単な説明】
【００２０】
【図１】本発明による情報記録再生装置のカートリッジ位置決め機構の構成の一例を示す斜視図である。
【図２】本発明による情報記録再生装置とカートリッジを示す斜視図である。
【図３】ａ及びｂはストッパ機構の構成の一例を示す斜視図である。
【図４】本発明の情報記録再生装置におけるカートリッジ位置決め機構の構成の他の例を示す正面図である。
【符号の説明】
【００２１】
１  カートリッジ
２  トレイ
３  超薄型情報記録媒体
４  収納状態
５  溝
６  情報記録再生装置
７、７’、８  位置決め部材
９  ストッパ機構
１０  押しばね
【図１】
2008016139.tif 000003
【図２】
2008016139.tif 000004
【図３】
2008016139.tif 000005
【図４】
2008016139.tif 000006